(57)【特許請求の範囲】
【請求項１】
機器本体の隔壁部に設けられ、かつ、平面形状が略方形を呈して覆設される囲枠付きエアフィルタと略対面合致する面形状を呈する通気口の一側縁に沿わせた複数の近傍位置に配設される弾圧軸支ユニットと、
各弾圧軸支ユニットにそれぞれの一端部側を上下方向への調整可能な弾圧を伴った揺動を自在に軸支させて通気口の前記一側縁との対向する位置にある他側縁を越える長さが付与されて配設される複数本の支持腕部と、
その長さ方向での両端部に前記通気口の開口面方向を受け面とする受け片部を備えて前記支持腕部のそれぞれの他端部側を連結する連結バーと、
前記弾圧軸支ユニット近傍に付設された支持ピンを支点として前記通気口に覆設された前記囲枠付きエアフィルタからのガスリークを阻止し得るようにやや押し込んで水平方向に各支持腕部を位置させた際の前記受け片部のそれぞれの前記受け面への押圧付勢とその解除とを可能にして前記他側縁寄りの前記隔壁部上に配設される一対のクランプ体とで構成したことを特徴とする囲枠付きエアフィルタ用着脱機構。
【請求項２】
前記弾圧軸支ユニットは、前記隔壁部上に直立させた支杆体と、該支杆体に遊挿させた介在昇降片と、該介在昇降片と前記支杆体の頂端部との間に抜脱困難に介在配置された圧縮用コイルスプリングとを備え、
前記支持腕部は、それぞれの前記一端部を対応する前記介在昇降片に軸支させた請求項１に記載の囲枠付きエアフィルタ用着脱機構。
【請求項３】
前記クランプ体は、開閉操作用のレバー部と、該レバー部を閉操作した際に受け片部の前記受け面を押し下げてその位置を維持する押圧アーム部とを有する請求項１または２に記載の囲枠付きエアフィルタ用着脱機構。
【請求項４】
前記囲枠付きエアフィルタは、前記通気口の周縁部と対面する部位にパッキンを具備させたＨＥＰＡフィルタである請求項１ないし３のいずれかに記載の囲枠付きエアフィルタ用着脱機構。
【発明の詳細な説明】
【技術分野】
【０００１】
本発明は、ドラフトチャンバーやヒュームフードなどの装置における機器本体が備える通気口に対しエアフィルタを確実に位置固定したり、容易に取り外したりすることができるようにした囲枠付きエアフィルタ用着脱機構に関する技術である。
【背景技術】
【０００２】
ドラフトチャンバーやヒュームフードなどを含む各種の装置のなかには、機器本体内で発生する排気ガスを通気口を介して外部に排出するようにしたものも多くあり、その際に通気口にエアフィルタを取り付けて排気ガスを濾過して放出できるようになっている。
【０００３】
この場合における機器本体の通気口に対するエアフィルタの取付けについては、従来より種々の取付け構造のものが提案されてきている。これらのなかには、エアフィルタが備える囲枠に設けた通孔を介して通気路方向に貫通させた長寸ボルトの先端側を機器本体側にナットで螺着して取り付けるようにしたものや、例えば特許文献１に記載されているように、作業空間を備える機器本体側にエアフィルタが備える囲枠の奥端側を回動可能に取り付けるとともに、該囲枠の前辺の把手部に手指を掛けて下方に引き下ろして回動させた状態で前記作業空間側に取り外せるようにしたものなどがある。
【先行技術文献】
【特許文献】
【０００４】
【特許文献１】特開２００４−４４９３４号公報
【発明の概要】
【発明が解決しようとする課題】
【０００５】
しかし、長寸ボルトにナットを螺合するタイプのものは、ナットの締め付け具合の調整が難しいことから、ガスリークを発生させないようにするためにはその取付けに手間を要するほか、機器本体側に対するエアフィルタの着脱に煩雑な作業を強いられるなどの不都合があった。
【０００６】
また、特許文献１のエアフィルタの取付け構造による場合には、エアフィルタが備える囲枠の把手部を下方に引き下ろすことにより作業空間側に回動した状態のもとで、その全体を持ち上げて回動軸を受け金具から外して手前に引き出すことで交換しなければならない煩雑さがあるほか、交換して再び取り付ける際にも取り外しとは逆の面倒な手順を踏まなければならないという問題があった。
【０００７】
本発明は、従来技術の上記課題に鑑み、エアフィルタの着脱を簡単に行うことができる囲枠付きエアフィルタ用着脱機構を提供することに目的がある。
【課題を解決するための手段】
【０００８】
本発明は、上記目的を達成すべくなされたものであり、機器本体の隔壁部に設けられ、かつ、平面形状が略方形を呈して覆設される囲枠付きエアフィルタと略対面合致する面形状を呈する通気口の一側縁に沿わせた複数の近傍位置に配設される弾圧軸支ユニットと、各弾圧軸支ユニットにそれぞれの一端部側を上下方向への調整可能な弾圧を伴った揺動を自在に軸支させて通気口の前記一側縁との対向する位置にある他側縁を越える長さが付与されて配設される複数本の支持腕部と、その長さ方向での両端部に前記通気口の開口面方向を受け面とする受け片部を備えて前記支持腕部のそれぞれの他端部側を連結する連結バーと、前記弾圧軸支ユニット近傍に付設された支持ピンを支点として前記通気口に覆設された前記囲枠付きエアフィルタからのガスリークを阻止し得るようにやや押し込んで水平方向に各支持腕部を位置させた際の前記受け片部のそれぞれの前記受け面への押圧付勢とその解除とを可能にして前記他側縁寄りの前記隔壁部上に配設される一対のクランプ体とで構成したことを最も主要な特徴とする。
【０００９】
この場合、前記弾圧軸支ユニットは、前記隔壁部上に直立させた支杆体と、該支杆体に遊挿させた介在昇降片と、該介在昇降片と前記支杆体の頂端部との間に抜脱困難に介在配置された圧縮用コイルスプリングとを備え、前記支持腕部は、それぞれの前記一端部を対応する前記介在昇降片に軸支させるようにするのが好ましい。また、前記クランプ体は、開閉操作用のレバー部と、該レバー部を閉操作した際に受け片部の前記受け面を押し下げてその位置を維持する押圧アーム部とを有するものを好適に用いることができる。さらに、前記囲枠付きエアフィルタは、前記通気口の周縁部と対面する部位にパッキンを具備させたＨＥＰＡフィルタを用いるのが好ましい。
【発明の効果】
【００１０】
本発明によれば、囲枠付きエアフィルタを隔壁部の通気口側に対面合致させて配置した上で、クランプ体が生成する押圧力を連結バーが備える受け片部の受け面に作用させることで、支持腕部を支点である支持ピンを介して水平方向に位置固定した状態のもとで囲枠側を通気口の周辺部に密に、かつ、均等に押し付けることができるので、ガスリークを発生させないようにして囲枠付きエアフィルタを機器本体側に簡単に配置することができる。
【００１１】
また、機器本体側から囲枠付きエアフィルタを取り外す際には、クランプ体が生成する押圧力を単に解除することにより、支持腕部を支点である支持ピンを介して跳ね上げ方向に揺動させて囲枠付きエアフィルタ側に作用させていた押圧力をなくすことで、囲枠付きエアフィルタを容易に引き出すことができる。
【００１２】
また、弾圧軸支ユニットが支杆体と介在昇降片と圧縮用コイルスプリングとで構成されている場合は、該圧縮用コイルスプリングの弾圧により支持腕部の一端部側にも押し付け力を確実に作用させることができる。さらに、クランプ体として開閉操作用のレバー部と受け片部の受け面を押し下げてその位置を維持する押圧アーム部とを備えるものを用いる場合は、単にレバー部を介して開閉操作することで、囲枠付きエアフィルタを簡単に着脱することができるほか、その取り付け時の状態を安定的に維持することもできる。さらにまた、囲枠付きエアフィルタがパッキン付きのＨＥＰＡフィルタである場合には、その取り付け時にパッキンを介して通気口をより確実に封止することができる。
【図面の簡単な説明】
【００１３】
【図１】囲枠付きエアフィルタを機器本体における隔壁部の通気口に取り付けた状態での本発明の一例を示す平面図。
【図２】図１におけるＡ−Ａ線矢視方向での部分縦断面図。
【図３】本発明における弾圧軸支ユニットの部材構成例を示す説明図であり、そのうちの（ａ）は側面方向からみた分解説明図を、（ｂ）は正面方向からみた分解説明図をそれぞれ示す。
【図４】囲枠付きエアフィルタを着脱する際の本発明の動きを示す側面図であり、そのうちの（ａ）は、隔壁部の通気口を塞ぐようにして囲枠付きエアフィルタを位置固定した状態を、（ｂ）は（ａ）の状態を解除して囲枠付きエアフィルタを取り出す際の状態をそれぞれ示す。
【発明を実施するための形態】
【００１４】
本発明は、図１および図２に示されているように、ドラフトチャンバーやヒュームフードなどを含む各種の装置における機器本体１０１の隔壁部１０２に設けられた通気口１０３に覆設される囲枠付きエアフィルタ５１のための着脱機構を提供するものであり、その具体的な構成例は、以下のとおりである。
【００１５】
すなわち、図示例によれば、囲枠付きエアフィルタ用着脱機構１１の全体は、一対の弾圧軸支ユニット１２，１２と、該弾弾圧軸支ユニット１２側にその一端部２３側が各別に軸支された２本の支持腕部２２と、これら支持腕部２２の他端部２７側を一体的に連結する連結バー３２と、該連結バー３２側に対しその位置固定とその解除とに必要な一対のクランプ体４２，４２とで構成されている。
【００１６】
これらのうち、各弾圧軸支ユニット１２は、機器本体１０１の隔壁部１０２に設けられ、かつ、平面形状が略方形を呈して覆設される囲枠付きエアフィルタ５１と略対面合致する面形状を呈する通気口１０３の一側縁１０３ａに沿わせた複数の近傍位置に配設されている。
【００１７】
これを図３（ａ），（ｂ）に基づいて詳しく説明すれば、弾圧軸支ユニット１２のそれぞれは、隔壁部１０２上に位置固定される支台１３を介して直立配置される支杆体１４と、該支杆体１４に遊挿配置される介在昇降片１６と、該介在昇降片１６と支杆体１４の頂端部１４ａとの間に抜脱困難に介在配置される圧縮用コイルスプリング１７とを備えて構成されている。
【００１８】
この場合、その頂端部１４ａに雄ねじ部１５が刻入されている支杆体１４には、介在昇降片１６と圧縮用コイルスプリング１７とを送り込み、該圧縮用コイルスプリング１７を上から抑える座金１８を配置した上で、例えばロックナットとして用いられる２個のナット１９を雄ねじ部１５に螺合することで圧縮用コイルスプリング１７が抜脱困難に介在配置されることになる。
【００１９】
しかも、圧縮用コイルスプリング１７の圧縮の程度は、雄ねじ部１５に対する２個のナット１９の螺合位置を変えることによりその強弱を調整することができるようになっている。
【００２０】
一方、支持腕部２２は、各弾圧軸支ユニット１２側にそれぞれの一端部２３側が上下方向への弾圧を伴った揺動を可能に軸支され、かつ、通気口１０３の一側縁１０３ａとの対向する位置にある他側縁１０３ｂを越える長さが付与された２本構成となって配設されている。
【００２１】
この場合、各支持腕部２２の一端部２３は、介在昇降片１６を両側から抱持する通孔３０付きの一側連結片２５と他側連結片２６とを備えた平面視略コ字形を呈する連結部２４として形成されており、一側連結片２５の側は介在昇降片１６に設けられた通孔２１を介して送り込まれる軸支杆２８を介在昇降片１６の内側に配置される止着材２９で止着し、他側連結片２５の側も介在昇降片１６に対し同様に配置される軸支杆２８を止着材２９で止着することにより、介在昇降片１６に対し回動自在に連結されている。
【００２２】
また、各支持腕部２２の他端部２７は、連結バー３２により一体的に連結されている。しかも、連結バー３２は、その長さ方向での両端部に通気口１０３の開口面方向を受け面３５とする側面視略Ｌ字形を呈する受け片部３４を備えて形成されている。
【００２３】
しかも、支台１３の上面１３ａにおける支杆体１４の内側には、支持腕部２２の一端部２３側に対し支点として作用させるための支持ピン２０が直立配置されており、各支持腕部２２は、通気口１０３に覆設された囲枠付きエアフィルタ５１からのガスリークを阻止し得るように、圧縮用コイルスプリング１７の付勢力に抗してやや押し込む位置にて水平方向に支持ピン２０を介して位置させることができるようになっている。なお、支持ピン２０の突出長は、支持腕部２２が水平となって囲枠付きエアフィルタ５１における囲枠５２に均等に圧接できるように、囲枠５２の座高との関係で定まる適宜の長さとなっている。
【００２４】
クランプ体は４２は、弾圧軸支ユニット１２近傍に付設された支持ピン２０を支点として通気口１０３に覆設された囲枠付きエアフィルタ５１からのガスリークを阻止し得るようにやや押し込むようにして受け片部３３のそれぞれの受け面へ３４の押圧付勢とその解除とを可能にして通気口１０３の他側縁１０３ｂ寄りの隔壁部１０２上に各別に配設されている。
【００２５】
この場合における各クランプ体は４２については、開閉操作用のレバー部４３と、該レバー部４３を閉操作した際に受け片部３３の受け面３４を押し下げてその位置を維持する押圧アーム部４４とを有して形成されているものを好適に用いることができる。
【００２６】
特にリンクと梃子の原理を利用して構成された「トグルクランプ」とも称されているものを用いる場合には、開閉操作のためのストロークを大きく確保することができるほか、小さな力で大きなクランプ力が得られ、かつ、機器本体１０１側から反力を受けてもロックが自動解除されることはないので、より好適に用いることができる。
【００２７】
また、本発明が適用される囲枠付きエアフィルタ５１については、囲枠５２内に適宜構造のろ材（図示せず）が配置されて構成されているものを用いることができるが、特に通気口１０３の一側縁１０３ａ近傍と他側縁１０３ｂ近傍とを含む周縁部と対面する部位にパッキン５３を具備させたＨＥＰＡフィルタ５４を好適に用いることができる。
【００２８】
次に、上記構成からなる本発明の作用・効果を図４を参酌して説明すれば、囲枠付きエアフィルタ５１が通気口１０３を覆った状態で装着されている際には、図４（ａ）に示されているように、支持腕部２２の他端部２７側を連結している連結バー３２が備える受け片部３３の受け面３４がクランプ体４２が生成する押圧力を受けて支点である支持ピン２０の突出長で定まる高さの水平方向にまで強制的に押し下げられる結果、支持腕部２２も水平状態となった状態で位置固定されることになる。
【００２９】
この場合、クランプ体４２が開閉操作用のレバー部４３と、該レバー部４３を閉操作した際に受け片部３３の受け面３４を押し下げてその位置を維持する押圧アーム部４４とを備えるものである場合には、連結バー３２側を手指で把持して押し上げながら押圧アーム部４４を受け面３４に接触させた上でレバー部４３を閉操作することにより、支持腕部２２を水平状態にして簡単に位置固定することができる。
【００３０】
しかも、このとき、支持腕部２２の一端部２３側は、支持ピン２０が支点となって梃子のように作用して介在昇降片１６と圧縮コイルスプリング１７とがその付勢力に抗して押し上げられるので、支持腕部２２の一端部２３側に対し縮退した圧縮コイルスプリング１７による押し下げ方向での押圧力を作用させることができる結果、囲枠付きエアフィルタ５１の囲枠５２の通気口１０３の周縁部との対面部位の全体が強く押し付けられることになる。
【００３１】
このため、囲枠付きエアフィルタ５１は、通気口１０３の周縁部に囲枠５２部分を均等に圧接させて密着配置することができることから、特に囲枠５２にパッキン５３が付設されている場合には、該パッキン５３を介して通気口１０３の周縁部を封止してガスリークを発生させないようにして配置することができることになる。
【００３２】
また、通気口１０３の周縁部に配置されている囲枠付きエアフィルタ５１を交換等の必要から取り外す際には、図４（ｂ）に示されているように、連結バー４３の受け片部３３に対して作用させているクランプ体４２による押圧力を解除することにより、支持腕部２２の一端部２３側に常時作用している圧縮コイルスプリング１７による押し下げ方向での押圧力により、支持ピン２０を支点として支持腕部２２の一端部２３を押し下げて他端部２７側を跳ね上げるように揺動させることができる。
【００３３】
この場合、クランプ体４２が開閉操作用のレバー部４３と、該レバー部４３を閉操作した際に受け片部３３の受け面３４を押し下げてその位置を維持する押圧アーム部４４とを備えるものである場合には、単にレバー部４３を開操作して押圧アーム部４４を受け面３４から待避させることにより、簡単に支持腕部２２を囲枠付きエアフィルタ５１側から解放することができる。
【００３４】
その結果、囲枠付きエアフィルタ５１は、囲枠５２が通気口１０３の周縁部に強く押し付けられることがなくなり、図４（ｂ）に示す矢印方向へと容易に引き出すことができるので、交換等に必要な作業を円滑に遂行することができる。
【００３５】
なお、交換等をした後の囲枠付きエア囲枠付きエアフィルタ５１は、上述した取り出し作業とは逆の手順を踏むことで、図４（ａ）に示す状態へと極く容易に再配置することができる。
【００３６】
以上に述べたように、本発明によれば、囲枠付きエアフィルタ５１を隔壁部１０２の通気口１０３側に対面合致させて配置した上で、クランプ体４２が生成する押圧力を連結バー３２が備える受け片部３３の受け面３４に作用させることで、支持腕部２２を支点である支持ピン２０を介して水平方向に位置固定した状態のもとで囲枠５２側を通気口１０３の周縁部に密に、かつ、均等に押し付けることができるので、ガスリークを発生させないようにして囲枠付きエアフィルタ５１を機器本体１０１側に簡単に配置することができる。
【００３７】
また、機器本体１０１側から囲枠付きエアフィルタ５１を取り外す際には、クランプ体４２が生成する押圧力を単に解除することにより、支持腕部２２を支点である支持ピン２０を介して跳ね上げ方向に揺動させて囲枠付きエアフィルタ５１側に作用させていた押圧力をなくすことで、囲枠付きエアフィルタ５１を簡単に引き出すことができる。
【００３８】
また、弾圧軸支ユニット１２が支杆体１４と介在昇降片１６と圧縮用コイルスプリング１７とで構成されている場合は、該圧縮用コイルスプリング１７の弾圧により支持腕部２２の一端部２３側に対して押し付け力を確実に作用させることができる。
【００３９】
さらに、クランプ体４２として開閉操作用のレバー部４３と受け片部３３の受け面３４を押し下げてその位置を維持する押圧アーム部４４とを備えるものを用いる場合は、単にレバー部４３を介して開閉操作することで、囲枠付きエアフィルタ５１を簡単に着脱することができるほか、その取り付け時の状態を安定的に維持させることもできる。
【００４０】
さらにまた、囲枠付きエアフィルタ５１がパッキン５３付きのＨＥＰＡフィルタである場合には、その取り付け時にパッキン５３を介して通気口１０３を優れた清浄作用のもとで確実に封止することができる。
【００４１】
以上は、本発明を図示例に基づいて説明したものであり、その具体的な内容は、これに限定されるものではない。例えば、弾圧軸支ユニット１２と支持腕部２２とは、図示例では２カ所に配置されているが、囲枠付きエアフィルタ５１の面サイズとの関係で必要であれば、３カ所以上に設けるものであってもよい。また、クランプ体４２は、図示例以外にも、受け片部３３の受け面３４に押し下げ力を作用させてその状態を維持し得る構造を備えている適宜のものを用いることもできる。さらに、支杆体１４や支持ピン２０は、支台１３を用いることなく、隔壁部１０２から直に直立させるものであってもよい。
【符号の説明】
【００４２】
１１  囲枠付きエアフィルタ用着脱機構
１２  弾圧軸支ユニット
１３  支台
１３ａ  上面
１４  支杆体
１４ａ  上端部
１５  雄ねじ部
１６  介在昇降片
１７  圧縮コイルスプリング
１８  座金
１９  ナット
２０  支持ピン
２１  通孔
２２  支持腕部
２３  一端部
２４  連結部
２５  一側連結片
２６  他側連結片
２７  他端部
２８  軸支杆
２９  止着材
３０  通孔
３２  連結バー
３３  受け片部
３４  受け面
４２  クランプ体
４３  レバー部
４４  押圧アーム部
５１  囲枠付きエアフィルタ
５２  囲枠
５３  パッキン
５４  ＨＥＰＡフィルタ
１０１  機器本体
１０２  隔壁部
１０３  通気口
１０３ａ  一側縁
１０３ｂ  他側縁
【図１】
0005627425.tif 000002
【図２】
0005627425.tif 000003
【図３】
0005627425.tif 000004
【図４】
0005627425.tif 000005